(57)【要約】【課題】医用画像読影管理システムにおいて、担当の読影医から他の医師に読影を依頼する際に、依頼状況に応じて関連する医用画像の割り当てについての設定を可能とする。【解決手段】本発明に係る医用画像読影システムよれば、担当変更を依頼する読影医の読影端末において、担当変更依頼画面を表示し、当該画面の設定項目に従って、他の医師への担当変更の対象となる医用画像を患者単位、検査単位、シリーズ単位又は画像単位で設定し、変更先の読影医を設定すると、管理サーバは、設定された内容に基づいて、担当の読影医を変更すべき医用画像を画像管理ＤＢで検索し、検索された医用画像に対応する担当の読影医の識別情報を変更する。【選択図】図４
2006271624.tif 000002
【特許請求の範囲】
【請求項１】
入力された医用画像を当該医用画像に関する患者情報、検査情報、シリーズ情報を含む画像属性情報と対応付けて記憶手段に記憶するとともに担当の読影医に割り当てて管理する医用画像管理装置と、前記医用画像を前記医用画像管理装置から通信回線を介して取得し表示する読影端末とを備えた医用画像読影管理システムにおいて、
前記担当の読影医を変更する際に、変更先の読影医の設定とともに、担当変更対象の医用画像を患者単位、検査単位、シリーズ単位又は画像単位で設定する設定手段を備え、
前記医用画像管理装置は、前記設定手段からの設定に基づいて、前記記憶手段から担当変更対象となる医用画像を検索し、検索された医用画像を前記変更先の読影医へ割り当てることを特徴とする医用画像読影管理システム。
【請求項２】
前記設定手段は、前記担当変更の設定時に、前記担当変更対象の医用画像の読影結果を承認する承認医を設定可能に構成され、
前記医用画像管理装置は、前記担当変更対象の医用画像に対する読影結果の承認を前記設定された承認医に割り当てることを特徴とする請求項１に記載の医用画像読影管理システム。
【請求項３】
前記設定手段は、前記担当変更の設定時に、前記担当変更の変更元の読影医が現在担当している患者に係る医用画像が将来入力されたときの読影医及び／又は承認医の割り当てについて設定可能に構成され、
前記医用画像管理装置は、前記担当変更の変更元の読影医が現在担当している患者に係る医用画像が将来入力された場合に、その入力された医用画像を前記設定手段により設定された読影医及び／又は承認医へ割り当てることを特徴とする請求項１又は２に記載の医用画像読影管理システム。
【請求項４】
前記担当変更の変更元の読影医が現在担当している患者に係る医用画像とは、前記担当変更の変更元の読影医が現在担当している全ての患者の医用画像、前記担当変更対象と同一患者の医用画像、又は前記担当変更対象と同一患者の同一シリーズの医用画像であることを特徴とする請求項３に記載の医用画像読影管理システム。
【請求項５】
前記医用画像管理装置は、前記変更先の読影医が所有する前記読影端末に、前記設定手段による設定内容を表示させ、前記読影端末から前記設定内容の承諾が入力された際に、前記割り当ての変更を行うことを特徴とする請求項１〜４の何れか一項に記載の医用画像読影管理システム。
【請求項６】
前記設定手段は、前記担当変更の設定時に、併せて前記担当変更対象の医用画像に対する参照医を設定可能に構成され、
前記医用画像管理装置は、前記設定手段からの設定に基づいて、前記担当変更対象の医用画像を参照可能な医師を決定することを特徴とする請求項１〜５の何れか一項に記載の医用画像読影管理システム。
【発明の詳細な説明】
【技術分野】
【０００１】
本発明は、医用画像の読影を管理する医用画像読影管理システムに関する。
【背景技術】
【０００２】
従来、医療の分野においては、被写体を撮影し医用画像を生成するＣＲ（Computed Radiography）、ＦＰＤ（Flat Panel Detector）、ＣＴ（Computed Tomography）、ＭＲＩ（Magnetic Resonance Imaging）、超音波診断装置等の各種モダリティ、生成された医用画像を保存し管理する管理サーバ、管理サーバから医用画像を取得して読影診断を行うための読影端末等が通信ネットワークにより接続された医用画像読影管理システムが構築されるようになってきている。
【０００３】
医用画像読影管理システムの管理サーバにおいては、モダリティから医用画像が送信されると、その医用画像を担当の読影医に割り当て、担当の読影医からの要求に応じて医用画像の配信を行っている。一般的に、同一患者の同一シリーズ（例えば、モダリティ種別等）の画像毎に担当となる読影医が決まっており、管理サーバは、新たな医用画像を受信すると、当該医用画像に関する患者情報やシリーズ情報に基づき、担当となる読影医に当該医用画像を割り当てている。
【０００４】
このような医用画像読影管理システムにおいては、例えば、特許文献１に記載されているように、一度或る読影医に割り当てられた医用画像を他の医師に再割り当てすることも可能となっている。
【特許文献１】特開２００２−３２９１９０号公報
【発明の開示】
【発明が解決しようとする課題】
【０００５】
ところで、担当の読影医が他の医師に読影の担当変更を依頼するケースとしては、１検査分の医用画像のみを勉強のために研修医に依頼するケース、異動により他の読影医にその患者に対する担当としての権限ごと委譲するケース、スケジュール調整により１検査分の医用画像の読影を他の読影医に依頼するケース等、様々である。
【０００６】
しかしながら、上述の特許文献１においては、医用画像が割り当てられた担当の読影医により読影が不可能と判断された医用画像を個別に他の医師に再割り当てしており、読影依頼時の状況に応じて、関連する医用画像についてまとめて再割り当てを行ったり、今後、関連する医用画像が発生した場合の割り当てについてシステム内に設定しておいたりすることができなかった。
【０００７】
本発明の課題は、医用画像読影管理システムにおいて、担当の読影医から他の医師に読影を依頼する際に、依頼状況に応じて関連する医用画像の割り当てについての設定を可能とすることである。
【課題を解決するための手段】
【０００８】
上記課題を解決するため、請求項１に記載の発明は、
入力された医用画像を当該医用画像に関する患者情報、検査情報、シリーズ情報を含む画像属性情報と対応付けて記憶手段に記憶するとともに担当の読影医に割り当てて管理する医用画像管理装置と、前記医用画像を前記医用画像管理装置から通信回線を介して取得し表示する読影端末とを備えた医用画像読影管理システムにおいて、
前記担当の読影医を変更する際に、変更先の読影医の設定とともに、担当変更対象の医用画像を患者単位、検査単位、シリーズ単位又は画像単位で設定する設定手段を備え、
前記医用画像管理装置は、前記設定手段からの設定に基づいて、前記記憶手段から担当変更対象となる医用画像を検索し、検索された医用画像を前記変更先の読影医へ割り当てることを特徴としている。
【０００９】
請求項２に記載の発明は、請求項１に記載の発明において、
前記設定手段は、前記担当変更の設定時に、前記担当変更対象の医用画像の読影結果を承認する承認医を設定可能に構成され、
前記医用画像管理装置は、前記担当変更対象の医用画像に対する読影結果の承認を前記設定された承認医に割り当てることを特徴としている。
【００１０】
請求項３に記載の発明は、請求項１又は２に記載の発明において、
前記設定手段は、前記担当変更の設定時に、前記担当変更の変更元の読影医が現在担当している患者に係る医用画像が将来入力されたときの読影医及び／又は承認医の割り当てについて設定可能に構成され、
前記医用画像管理装置は、前記担当変更の変更元の読影医が現在担当している患者に係る医用画像が将来入力された場合に、その入力された医用画像を前記設定手段により設定された読影医及び／又は承認医へ割り当てることを特徴としている。
【００１１】
請求項４に記載の発明は、請求項３に記載の発明において、
前記担当変更の変更元の読影医が現在担当している患者に係る医用画像とは、前記担当変更の変更元の読影医が現在担当している全ての患者の医用画像、前記担当変更対象と同一患者の医用画像、又は前記担当変更対象と同一患者の同一シリーズの医用画像であることを特徴としている。
【００１２】
請求項５に記載の発明は、請求項１〜４の何れか一項に記載の発明において、
前記医用画像管理装置は、前記変更先の読影医が所有する前記読影端末に、前記設定手段による設定内容を表示させ、前記読影端末から前記設定内容の承諾が入力された際に、前記割り当ての変更を行うことを特徴としている。
【００１３】
請求項６に記載の発明は、請求項１〜５の何れか一項に記載の発明において、
前記設定手段は、前記担当変更の設定時に、併せて前記担当変更対象の医用画像に対する参照医を設定可能に構成され、
前記医用画像管理装置は、前記設定手段からの設定に基づいて、前記担当変更対象の医用画像を参照可能な医師を決定することを特徴としている。
【発明の効果】
【００１４】
請求項１に記載の発明によれば、医用画像管理システムにおいて、担当の読影医を変更する際に、担当変更対象の医用画像を患者単位、検査単位、シリーズ単位又は画像単位で設定することができるので、読影依頼時の状況に応じて、関連する医用画像についての担当変更の設定を必要なものだけまとめて行うことが可能となり、担当変更の設定作業を容易に効率的に行うことが可能となるとなるとともに、担当変更の設定もれを防止することが可能となる。
【００１５】
請求項２に記載の発明によれば、読影医の担当変更の設定時に、併せて承認医の変更の設定を行うことが可能となるので、別途承認医の担当変更に対する設定を行う必要がなくなり、担当変更の設定作業を容易に効率的に行うことが可能となるとなるとともに、担当変更の設定もれを防止することが可能となる。
【００１６】
請求項３に記載の発明によれば、読影医の担当変更の設定時に、担当変更の変更元の読影医が現在担当している患者に係る医用画像が将来入力されたときの読影医及び／又は承認医の割り当てについて設定可能であるので、今後発生する医用画像についても、誤りなく適切に担当の読影医や承認医に割り当てを行うことが可能となる。
【００１７】
請求項４に記載の発明によれば、担当変更の変更元の読影医が現在担当している全ての患者の医用画像、担当変更対象と同一患者の医用画像、又は担当変更対象と同一患者の同一シリーズの医用画像が将来入力された場合についての割り当てを設定することが可能となる。
【００１８】
請求項５に記載の発明によれば、変更先の読影医の承諾を得た後に割り当ての変更を行うので、変更先において予期しない医用画像が割り当てられたり、存在しない医師に誤って医用画像が割り当てられたりといった事態を防止することが可能となる。
【００１９】
請求項６に記載の発明によれば、読影医の担当変更の設定時に、併せて担当変更対象となる医用画像の参照医についても設定変更を行うことが可能となる。
【発明を実施するための最良の形態】
【００２０】
以下、図を参照して本発明の実施の形態を詳細に説明する。ただし、発明の範囲は、図示例に限定されない。
【００２１】
まず、本実施の形態の構成について説明する。
図１は、本実施の形態における医用画像読影管理システム１００のシステム構成を示す概念図である。図１に示すように、医用画像読影管理システム１００には、モダリティ１、ＤＢ（Data Base）２７を備えた管理サーバ２、読影端末３、承認端末４がＬＡＮ（Local Area Network）やＷＡＮ（Wide Area Network）等の通信回線からなるネットワークＮを介してデータ送受信可能なように接続されている。病院内の通信方式としては、一般的に、ＤＩＣＯＭ（Digital Image and Communications in Medicine）規格が用いられており、上述したネットワークＮ上の各装置間の通信では、ＤＩＣＯＭ  ＭＷＭ(Modality Worklist Management）やＤＩＣＯＭ  ＭＰＰＳ（Modality Performed Procedure Step）が用いられる。なお、モダリティ１、読影端末３、承認端末４の数は、特に限定されない。
【００２２】
モダリティ１は、例えば、ＣＲ、ＦＰＤ、ＣＴ、ＭＲＩ、超音波診断装置等であり、人体を撮影した画像をデジタル変換して、医用画像の画像データを生成する。また、モダリティ１は、図示しない検査予約の受付端末や、キーボード、マウス、タッチパネル等の入力手段を介して入力された医用画像に関する属性情報を付帯情報として画像データに付帯させ、管理サーバ２に送信する。
【００２３】
モダリティ１から管理サーバ２へ送信される画像データ及びその付帯情報は、例えば、画像部及びヘッダ部を有するＤＩＣＯＭ形式ファイルで送信される。画像部には画像データが、ヘッダ部には画像データに関する付帯情報が書き込まれている。
【００２４】
付帯情報としては、例えば、撮影された患者の識別情報としての患者ＩＤ、患者氏名、年齢、性別等の患者に関する患者情報、検査を識別するための検査ＩＤ、撮影日、撮影部位、撮影条件（撮影部位、撮影方向等）、シリーズ情報（ＣＲ、ＣＴ等のモダリティ種別、ＡＥタイトル（ＤＩＣＯＭ規格における各モダリティ１の通信用の識別情報））等の検査に関する検査情報、画像を識別するための画像ＩＤ、画像ファイル名、画像データの画素数、サンプリングピッチ、ビット数等の画像データ情報等が挙げられる。ここで、シリーズ情報は、同一検査で撮影された医用画像を系統別に分類するための情報であり、上述のモダリティ種別やＡＥタイトルの他、検査部位の情報等を含めることとしてもよい。
【００２５】
管理サーバ２は、モダリティ１により生成された医用画像の画像データをその付帯情報と対応付けてＤＢ２７に保存して管理し、読影端末３又は承認端末４からの要求に応じて画像データを配信する医用画像管理装置である。
【００２６】
以下、図２を参照して、管理サーバ２の内部構成について詳細に説明する。
図２は、管理サーバ２の機能的構成を示すブロック図である。図２に示すように、管理サーバ２は、ＣＰＵ２１、操作部２２、表示部２３、ＲＡＭ２４、記憶部２５、通信制御部２６、ＤＢ２７等を備えて構成され、各部はバス２８により接続されている。
【００２７】
ＣＰＵ（Central Processing Unit）２１は、記憶部２５に記憶されているシステムプログラムを読み出し、ＲＡＭ２４内に形成されたワークエリアに展開し、該システムプログラムに従って各部を制御する。また、ＣＰＵ２１は、記憶部２５に記憶されている各種処理プログラム、各種アプリケーションプログラムを読み出しＲＡＭ２４に形成されたワークエリアに展開し、各種処理を実行する。
【００２８】
例えば、ＣＰＵ２１は、通信制御部２６を介してモダリティ１から医用画像の画像データ及び付帯情報を含む画像ファイルが受信されると、記憶部２５に記憶されている医用画像受信処理プログラムとの協働によるソフトウエア処理により、当該画像ファイルを画像ＤＢ２７１に格納するとともに、受信された画像ファイルのヘッダ部に含まれる付帯情報を画像管理ＤＢ２７２に書き込む。また、ＣＰＵ２１は、担当医一覧テーブル２５１を参照し、受信された医用画像の付帯情報に含まれる患者ＩＤ及びシリーズ情報に応じて当該医用画像を担当する読影医、承認医及び参照医を決定し、決定された担当医の識別情報（医師ＩＤ、名称等）を当該医用画像の付帯情報と対応付けて画像管理ＤＢ２７２に格納する。
【００２９】
また、ＣＰＵ２１は、記憶部２５に記憶されているプログラムとの協働によるソフトウエア処理により、後述する読影担当変更処理シーケンスにおける管理サーバ側処理（図４参照）を実行する。
【００３０】
操作部２２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ２１に出力する。また、操作部２２は、表示部２３の表示画面にタッチパネルを備えても良く、この場合、タッチパネルを介して入力された指示信号をＣＰＵ２１に出力する。
【００３１】
表示部２３は、ＬＣＤ（Liquid Crystal Display）やＣＲＴ（Cathode Ray Tube）等のモニタにより構成され、ＣＰＵ２１から入力される表示信号の指示に従って、操作部２２からの入力指示やデータ等を表示する。
【００３２】
ＲＡＭ（Random Access Memory）２４は、ＣＰＵ２１により実行制御される各種処理において、記憶部２５から読み出されたＣＰＵ２１で実行可能な各種プログラム、入力若しくは出力データ、及びパラメータ等の一時的に記憶する記憶領域を形成する。
【００３３】
記憶部２５は、ＨＤＤ（Hard Disc Drive）や不揮発性の半導体メモリ等により構成され、ＣＰＵ２１で実行されるシステムプログラム、当該システムプログラムに対応する医用画像受信処理プログラム、読影担当変更処理シーケンスの管理サーバ側処理を実行するためのプログラムを始めとする各種処理プログラム、各種アプリケーションプログラム、各種データ等を記憶する。これらの各種プログラムは、読取可能なプログラムコードの形態で格納され、ＣＰＵ２１は、当該プログラムコードに従った動作を逐次実行する。
【００３４】
また、記憶部２５は、図２に示すように、担当医一覧テーブル２５１を記憶している。
【００３５】
図３に、担当医一覧テーブル２５１の一例を示す。担当医一覧テーブル２５１は、図３に示すように、患者ＩＤとシリーズ情報の組み合わせに対して、読影医、承認医及び参照医の識別情報を対応付けて記憶している。即ち、担当医一覧テーブル２５１は、各患者に対する、シリーズ別の、医用画像の担当読影医、承認医、参照医の識別情報を記憶するものである。
【００３６】
通信制御部２６は、ＬＡＮアダプタやルータやＴＡ（Terminal Adapter）等を備え、ネットワークＮに接続された各装置とデータの送受信を行う。
【００３７】
ＤＢ２７は、記憶手段であり、モダリティ１から受信された医用画像の画像ファイルを格納する画像ＤＢ２７１、モダリティ１から受信され、画像ＤＢ２７１に格納された医用画像の付帯情報、読影担当として割り当てられた読影医の医師ＩＤ及び承認担当として割り当てられた承認医の医師ＩＤ、ステータス情報（例えば、未読影、読影済み、承認済み等）等の画像管理情報を格納する画像管理ＤＢ２７２を有している。画像ＤＢ２７１に格納された各画像ファイルは、画像ファイル名等により画像管理ＤＢ２７２に記憶された当該画像ファイルの画像管理情報に対応付けられている。
【００３８】
図１に戻り、読影端末３は、バス３７により接続されたＣＰＵ３１、操作部３２、表示部３３、ＲＡＭ３４、記憶部３５、通信制御部３６とを備え（いずれも図示せず）、ネットワークＮを介して管理サーバ２から医用画像の画像データを取得して表示し、読影医や研修医が医用画像の読影レポート（以下、レポートと称する）を作成するためのＰＣ（Personal Computer）等の端末である。読影端末３のＣＰＵ３１は、操作部３２からの指示に応じて、記憶部３５に記憶されたプログラムとの協働によるソフトウエア処理により、後述する読影担当変更処理シーケンスの読影端末３Ａ側処理又は読影端末３Ｂ側処理を実行する。
【００３９】
承認端末４は、読影端末３において作成されたレポートを表示し、承認を行うためのＰＣ等の端末である。
【００４０】
次に、本実施の形態の動作について説明する。
図４に、医用画像読影管理システム１００において実行される読影担当変更処理シーケンスを示す。なお、読影端末３Ａは医師Ａが所有する端末であり、読影端末３Ｂは医師Ｂが所有する端末であるものとし、図４においては、医師Ａに割り当てられた医用画像の読影を医師Ｂに依頼する場合の読影担当変更処理シーケンスを一例として示す。
【００４１】
読影端末３Ａにおいて、操作部３２を介して担当変更依頼画面３３１の表示が指示され、通信制御部３６により管理サーバ２に担当変更依頼画面３３１の表示要求が送信されると（ステップＳ１）、管理サーバ２において、画像管理ＤＢ２７２が検索され読影端末３Ａのユーザである医師Ａに割り当てられている医用画像のうち未読影の画像リストが生成され、当該画像リスト及び担当変更依頼画面のデータが読影端末３Ａに送信され（ステップＳ２）、読影端末３Ａの表示部３３に担当変更依頼画面３３１が表示される（ステップＳ３）。
【００４２】
図５に、担当変更依頼画面３３１の一例を示す。図５に示す担当変更依頼画面３３１は、読影医の担当変更の対象となる医用画像を特定するための領域３３１ａと、担当変更に関する詳細設定を行うための設定領域３３１ｂを有している。
【００４３】
領域３３１ａは、担当変更の対象となる医用画像の患者名、患者ＩＤ等のキーワードを入力するための領域Ｒ１と、領域Ｒ１に入力されたキーワードを有する医用画像を未読影の画像リストの中から検索するための検索ボタンＢ１と、医師Ａの未読影の画像のリスト（領域Ｒ１からキーワードが指定され、検索された場合は、その検索結果のリスト）を表示し、担当変更対象の基本となる医用画像を特定するための領域Ｒ２を有している。
【００４４】
領域３３１ｂは、今回の担当変更対象についての詳細設定を入力するための領域３３１ｃ及び今後の担当医の割り当て設定を入力するための領域３３１ｄを有している。
領域３３１ｃは、担当変更の依頼単位を「患者単位」、「検査単位」、「シリーズ単位」又は「画像単位」から選択し設定するための選択領域Ｒ３と、担当変更の変更先の読影医の医師名を入力するための変更先読影医設定領域Ｒ４と、担当変更先の承認医の医師名を入力するための変更先承認医設定領域Ｒ５とを有する。
ここで、「患者単位」が選択されると、変更元の医師Ａが現在担当している、領域３３１ａで特定された医用画像と同一患者の全ての医用画像の読影（将来発生する医用画像の読影も含む）を変更先読影医設定領域Ｒ４で指定された読影医に変更し、対応する医用画像の承認を変更先承認医設定領域Ｒ５で指定された承認医に変更する設定が行われる。例えば、図５において、変更元の医師Ａが指定された患者（ここでは、患者ＩＤ00012）のＣＴ画像、ＣＲ画像、ＭＲＩ画像の読影担当である場合、「患者単位」を選択することにより、患者ＩＤ00012のＣＴ画像、ＣＲ画像、ＭＲＩ画像の読影を、将来発生する医用画像も含めて他の医師に変更する設定を行うことができる。
「検査単位」が選択されると、領域３３１ａで特定された検査ＩＤの、変更元の医師Ａが担当している医用画像の読影を変更先読影医設定領域Ｒ４で指定された読影医に変更し、対応する医用画像の承認を変更先承認医設定領域Ｒ５で指定された承認医に変更する設定が行われる。
「シリーズ単位」が選択されると、領域３３１ａで特定された検査ＩＤの、変更元の医師Ａが担当している医用画像のうち、領域３３１ａで特定されたシリーズの医用画像の読影を変更先読影医設定領域Ｒ４で指定された読影医に変更し、対応する医用画像の承認を変更先承認医設定領域Ｒ５で指定された承認医に変更する設定が行われる。例えば、図５において、変更元の読影医が検査ＩＤ003522のＣＴとＣＲの画像の読影を担当している場合、領域３３１ａで検査ＩＤ003522のシリーズ情報がＣＴの画像を特定することにより、検査ＩＤ03522のＣＴ画像のみの読影を、変更先読影医設定領域Ｒ４で指定された読影医に変更し、対応する医用画像の承認を変更先承認医設定領域Ｒ５で指定された医師に変更することができる。
「画像単位」が選択されると、領域３３１ａで特定された画像ＩＤの医用画像の読影を変更元の医師Ａから変更先読影医設定領域Ｒ４で指定された読影医に変更し、対応する医用画像の承認を変更先承認医設定領域Ｒ５で指定された承認医に変更する設定が行われる。
【００４５】
領域３３１ｄは、変更元の医師Ａが現在担当している患者に係る医用画像が将来入力された場合についての割り当て設定を行うか否かを指定するための領域Ｒ６と、割り当て設定対象を「全患者」「患者レベル」「シリーズレベル」の３つのレベルのうちから選択し設定するための領域Ｒ７と、今後の割り当て先となる読影医の医師名を入力するための割り当て先読影医Ｒ８と、今後の割り当て先となる承認医の医師名を入力するための割り当て先承認医設定領域Ｒ９とを有する。Ｒ７において、「全患者」が選択されると、変更元の医師Ａが現在担当している全ての患者に対する医用画像の読影を、今後、割り当て先読影医設定領域Ｒ８で指定された読影医に対して割り当て、その承認を割り当て先承認医設定領域Ｒ９で指定された医師に割り当てる設定が行われる。Ｒ７において「患者レベル」が選択されると、今回担当変更の対象となる医用画像と同一患者の医用画像に対する読影を、今後、割り当て先読影医設定領域Ｒ８で指定された読影医に対して割り当て、その承認を割り当て先承認医設定領域Ｒ９で指定された医師に割り当てる設定が行われる。Ｒ７において「シリーズレベル」が選択されると、今回担当変更の対象となる医用画像と同一患者の同一シリーズの医用画像に対する読影を、今後、割り当て先読影医設定領域Ｒ８で指定された読影医に対して割り当て、その承認を割り当て先承認医設定領域Ｒ９で指定された医師に割り当てる設定が行われる。
【００４６】
なお、承認医についての担当変更を行わない場合は、変更先承認医、割り当て先承認医
を入力しなければ、読影医のみの担当変更が可能である。
【００４７】
担当変更依頼画面３３１から設定入力が行われ、「設定」ボタンＢ２が押下されると、入力された内容が管理サーバ２に送信される。「キャンセル」ボタンＢ３が押下されると、担当変更依頼がキャンセルされ、読影担当変更処理シーケンスは終了する。
【００４８】
図４のステップＳ４において、上述の担当変更依頼画面３３１から担当変更依頼の設定内容が入力され、更に、今後の割り当て設定有りが指定され（ステップＳ５；ＹＥＳ）、今後の割り当て設定対象のレベル及び割り当て先が入力され（ステップＳ６）、「設定」ボタンＢ２が押下されて設定が指示されると（ステップＳ７；ＹＥＳ）、設定内容のデータ（設定データ）が通信制御部３６を介して管理サーバ２へ送信される（ステップＳ９）。一方、ステップＳ７において「設定」ボタンＢ２が押下されず（ステップＳ７；ＮＯ）、「キャンセル」ボタンＢ３が押下されると（ステップＳ８；ＹＥＳ）、本処理は終了する。
【００４９】
管理サーバ２において、通信制御部２６を介して担当変更依頼の設定データが受信されると、この設定データがＲＡＭ２４に一時的に格納され（ステップＳ１０）、変更先読影医として指定された医師（ここでは、医師Ｂ）の読影端末３（ここでは、読影端末３Ｂとする）に読影依頼通知が送信される（ステップＳ１１）。
【００５０】
読影端末３Ｂにおいて、通信制御部３６を介して管理サーバ２から読影依頼通知が受信されると、表示部３３に読影依頼通知画面が表示される（ステップＳ１２）。ここで、読影依頼通知画面（図示せず）には、「読影依頼が来ています。承諾しますか。」というメッセージと、「承諾」であることを管理サーバ２に返信するための「承諾」ボタンと、「拒否」であることを管理サーバ２に返信するための「拒否」ボタンと、依頼元の読影医の名称、依頼された医用画像の情報（画像ＩＤ、検査ＩＤ等）、今後の割り当て設定の内容等、上述の担当変更画面３３１における設定内容とが表示される。「承諾」ボタン又は「拒否ボタン」が押下されると、管理サーバ２に承諾又は拒否の情報が返信され(ステップＳ１３）、管理サーバ２において、返信結果が読影端末３Ａに転送される（ステップＳ１４）。読影端末３Ａにおいて、通信制御部３６を介して返信結果が受信されて表示部３３に表示され（ステップＳ１５）、操作部３２からの操作に応じて管理サーバ２に確認応答が送信されると（ステップＳ１６）、管理サーバ２において、この確認応答が受信される（ステップＳ１７）。そして、読影端末３Ｂにおいて変更依頼が承諾されている場合（ステップＳ１８；ＹＥＳ）、ＲＡＭ２４に格納されている読影端末３Ａからの設定データに基づき、担当の読影医を変更すべき医用画像の情報が画像管理ＤＢ２７２から検索され、検索された医用画像の読影医及び／又は承認医の識別情報が置きかえられ、割り当ての変更が行われる。また、読影端末３Ａからの設定内容に今後の割り当て設定が含まれる場合は、設定内容に基づいて、担当医一覧テーブル２５１の読影医及び／又は承認医のデータが置きかえられ、今後の割り当て設定が変更され（ステップＳ１９）、本処理は終了する。一方、読影端末３Ｂから拒否が返信されている場合は（ステップＳ１８；ＮＯ）、本処理は終了する。
【００５１】
上記読影担当変更処理シーケンスにおいて今後の割り当て設定が行われた後、管理サーバ２においてモダリティ１から医用画像が受信されると、上記読影担当変更処理シーケンスで割り当て設定を変更済みの担当医一覧テーブル２５１に基づいて担当の読影医及び承認医が決定されるので、担当変更依頼画面３３１から設定されたとおりの割り当てを行うことが可能となる。
【００５２】
なお、上記実施の形態においては、管理サーバ２から依頼先ユーザのみに読影依頼通知を送信し、確認をとることとしたが、変更後の承認医に対しても承認依頼通知を送信し、承認担当の変更が生じたことを通知することが望ましい。
【００５３】
以上説明したように、医用画像読影管理システム１００によれば、他の医師へ読影担当変更を依頼する際に、担当変更の対象となる医用画像を１つ１つ設定しなくても、患者単位、検査単位、シリーズ単位又は画像単位でまとめて設定することができるので、依頼時の状況に応じて、関連する医用画像についての担当変更を必要なものだけまとめて行うことが可能となり、担当変更を容易に効率的に行うことが可能となるとともに、担当変更の設定もれを防止することが可能となる。また、読影医の担当変更と同時に承認医の変更を行うことができるので、承認医の変更を別途設定する必要がなくなる。また、読影依頼時、即ち、担当変更の設定時に、変更元の読影医が現在担当している患者の医用画像が将来入力された場合の他の読影医への割り当てを設定できるので、今後発生する医用画像についても、誤り無く適切に担当医の割り当てを行うことが可能となる。このとき、変更元の読影医が現在担当している全ての患者の医用画像、担当変更対象と同一患者の医用画像、又は担当変更対象と同一患者の同一シリーズの医用画像を、指定された他の読影医に割り当て設定することができるので、依頼時の状況に応じて、今後の割り当てについても細かく設定を行うことが可能となる。また、管理サーバ２において、設定された内容をＤＢ２７に反映させる際には、変更先の読影医の承諾を得た後に行うので、変更先において予期しない医用画像が割り当てられたり、存在しない医師に誤って医用画像が割り当てられたりといった事態を防止することが可能となる。
【００５４】
なお、上記実施の形態における記述内容は、本発明に係る医用画像読影管理システム１００の好適な一例であり、これに限定されるものではない。
【００５５】
例えば、上記実施の形態においては、読影医の担当変更、その後の割り当て設定とともに承認医の担当変更、その後の割り当て設定を行うことを可能としているが、これに限定されず、例えば、上述の担当変更依頼画面３３１において、変更先参照医設定領域、割り当て先参照医設定領域を設け、これらの設定領域から変更先、割り当て先の参照医が入力された場合、管理サーバ２において、読影医の変更を行う際に、併せて参照医の変更を行うこととしてもよい。
【００５６】
その他、本実施の形態における医用画像読影管理システム１００の構成部分の細部構成、及び細部動作に関しても、本発明の趣旨を逸脱することのない範囲で適宜変更可能である。
【図面の簡単な説明】
【００５７】
【図１】本発明に係る医用画像読影管理システム１００の全体構成を示す図である。
【図２】図１の管理サーバ２の機能的構成を示すブロック図である。
【図３】図２の担当医一覧テーブル２５１のデータ構成例を示す図である。
【図４】医用画像読影管理システム１００において実行される読影担当変更処理シーケンスを示す図である。
【図５】担当変更依頼画面３３１の一例を示す図である。
【符号の説明】
【００５８】
１００  医用画像読影管理システム
１  モダリティ
２  管理サーバ
３  読影端末
４  承認端末
２１、３１  ＣＰＵ
２２、３２  操作部
２３、３３  表示部
２４、３４  ＲＡＭ
２５、３５  記憶部
２５１  担当医一覧テーブル
２６、３６  通信制御部
２７  ＤＢ
２８、３７  バス
【図１】
2006271624.tif 000003
【図２】
2006271624.tif 000004
【図３】
2006271624.tif 000005
【図４】
2006271624.tif 000006
【図５】
2006271624.tif 000007